(57)【要約】【課題】  主に投げ釣りに用いられる釣用おもりにおいて、根掛かりや仕掛けの絡まりを有効に防止すると共に、回収時には容易に回収することの出来る、新規な構造の釣用おもりを提供すること。【解決手段】  所定幅寸法で延びる胴部１２の一方の端部において先細状の先端部１４を一体形成して、それら胴部１２および先端部１４における上面１６の全体を平坦形状とする一方、それら胴部１２および先端部１４における底面１８の全体には幅方向の中央を全長に亘って連続して延びる稜線２０を形成して断面Ｖ字形とすると共に、該底面１８の稜線２０を該先端部１４において次第に該上面１６に近づけて全体として船形状とし、その船首部分に釣糸３０を付ける糸付部２８を設けた。【選択図】  図１
2007068432.tif 000002
【特許請求の範囲】
【請求項１】
釣糸が付けられて水中に投げ入れられる釣用おもりであって、
所定幅寸法で延びる胴部の一方の端部において先細状の先端部を一体形成して、それら胴部および先端部における上面全体を平坦形状とする一方、それら胴部および先端部における底面全体には幅方向の中央を全長に亘って連続して延びる稜線を形成して断面Ｖ字形とすると共に、該底面の稜線を該先端部において次第に該上面に近づけて全体として船形状とし、その船首部分に前記釣糸を付ける糸付部を設けたことを特徴とする釣用おもり。
【請求項２】
前記先端部における前記稜線が凹状に湾曲して上面に近づけられている請求項１に記載の釣用おもり。
【請求項３】
前記船首部分に環状部材を設けることによって前記糸付部を形成した請求項１又は２に記載の釣用おもり。
【請求項４】
前記環状部材が、斜め上方に向かって設けられている請求項３に記載の釣用おもり。
【請求項５】
前記釣用おもりの幅方向の中央を全長に亘って貫通する糸通し孔を貫設すると共に、該糸通し孔の一方の開口部を前記先端部に開口せしめることによって前記糸付部を形成した請求項１又は２に記載の釣用おもり。
【発明の詳細な説明】
【技術分野】
【０００１】
本発明は、主に投げ釣りにおいて用いられて水中に投げ入れられる釣用おもりに関し、特に、根掛かりや仕掛けの絡まりを防止すると共に、容易に回収するための特定形状を有する釣用おもりに関するものである。
【背景技術】
【０００２】
従来から、おもりの付いた仕掛けを陸地や船上から海中へ投げ入れて、海底に着いた仕掛けを海底を摺るように引き寄せて魚を釣る投げ釣りが行なわれている。このような投げ釣りは、特別な道具を必要とすることも無く手軽に始められることから、釣りを本格的な趣味とする上級者のみならず、釣りを始めたばかりの初心者や子供達の間でも広く楽しまれている。
【０００３】
ところで、投げ釣りに用いるおもりは、仕掛けを遠くへ投げるためと、仕掛けを海底へ沈めるための主に２つの目的のために釣糸に取り付けられて用いられる。このような投げ釣に用いられるおもりとしては、ナス型、六角、胴突、丸おもりなど、各種の形状のおもりが用いられている。
【０００４】
しかし、従来のおもりでは、海底に着いた仕掛けを引き寄せる際に、おもりが海底の岩の間や海藻に引っ掛かる、所謂根掛かりが問題となっていた。このような根掛かりが生じると、おもりが釣糸から外れて紛失してしまったり、紛失したおもりが海中のゴミとなって、環境にも悪影響を及ぼしていた。更に、従来構造の釣用おもりにおいては、海中での姿勢が安定せず、回転してしまうことによって仕掛けが絡まりやすいという問題もあった。
【０００５】
また、仕掛けの餌のみが魚に取られて餌を付け直す必要が生じたり、釣りのポイントを変更しようとする際には、海底に沈めた仕掛けを速やかに引き寄せて回収出来ることが望ましい。しかし、おもりは海中に沈めるために相応の重量を有する物であることから、引き上げに手間がかかるという問題もあった。
【０００６】
そこで、これらの問題を解決するために、様々な特定形状を有する釣用おもりが提案されている。
【０００７】
例えば、特許文献１（特開平６−８６６１７号公報）には、おもりの縁部に翼片を突設して揚力を得ることによって、回収の容易化を図る釣用おもりが提案されている。しかし、本特許文献においては、かかる翼片の構造について突条状の翼片である事以外に何等の具体的な記載もなされておらず、単に突条状の翼片を形成するのみでおもりに有効な揚力を得られるとは考え難い。また、このような構造とされた釣用おもりにおいても、海中で回転して仕掛けを絡めてしまうおそれは従来の釣用おもりと同様に内在するものである。
【０００８】
また、特許文献２（実開昭５５−１６０１７４号公報）には、おもりとは別体とされて、浮力を得るための特定形状を有する基部におもりを取り付けた釣用おもりが提案されている。ところが、このような釣用おもりにおいては、基部が比重の小さい別材料で形成されていることから製造に手間がかかり、高価なものとなってしまう。また、基部が浮力を有していることから、海底に速やかに沈降せしめるというおもり本来の機能を有効に発揮出来なくなるおそれもあった。
【０００９】
更にまた、特許文献３（実開昭６０−１３１１７３号公報）には、長手方向に延びる複数条の溝部を形成することによって、水の抵抗の軽減を図る釣用おもりが提案されている。しかし、おもりが引き寄せられる際には、海底を引き摺るようにして略水平方向に引かれて引き寄せられるのであって、おもりの長手方向と進行方向は一致しないことが多いと考えられる。従って、長手方向に真っ直ぐに延びる溝が回収の際に有効な効果を発揮するとは考え難い。また、かかる釣用おもりは溝部を切欠き形成することによっておもりの重量を軽くしてしまうことから、前述の特許文献２に記載の釣用おもりと同様に、海底に速やかに沈降せしめるというおもり本来の効果を阻害するおそれも有していた。
【００１０】
以上のように、根掛かりの防止や仕掛けの絡まりの防止、および回収の容易性を実現するために、様々な形状の釣用おもりが提案されているが、何れの釣用おもりもこれらの問題を有効に、また、一挙に解決し得るものではなく、更なる改良が求められているのである。
【００１１】
【特許文献１】特開平６−８６６１７号公報
【特許文献２】実開昭５５−１６０１７４号公報
【特許文献３】実開昭６０−１３１１７３号公報
【発明の開示】
【発明が解決しようとする課題】
【００１２】
ここにおいて、本発明は上述の如き事情を背景として為されたものであって、その解決課題とするところは、主に投げ釣りに用いられる釣用おもりにおいて、根掛かりや仕掛けの絡まりを有効に防止すると共に、回収時には容易に回収することの出来る、新規な構造の釣用おもりを提供することにある。
【課題を解決するための手段】
【００１３】
以下、前述の如き課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面の記載、或いはそれらの記載から当業者が把握することの出来る発明思想に基づいて認識されるものであることが理解されるべきである。
【００１４】
（本発明の態様１）
すなわち、本発明の態様１は、釣糸が付けられて水中に投げ入れられる釣用おもりであって、所定幅寸法で延びる胴部の一方の端部において先細状の先端部を一体形成して、それら胴部および先端部における上面全体を平坦形状とする一方、それら胴部および先端部における底面全体には幅方向の中央を全長に亘って連続して延びる稜線を形成して断面Ｖ字形とすると共に、該底面の稜線を該先端部において次第に該上面に近づけて全体として船形状とし、その船首部分に前記釣糸を付ける糸付部を設けたことを、特徴とする。
【００１５】
本態様に従う構造とされた釣用おもりにおいては、全体として船形状を有する特定形状とされていることによって、前述の如き多くの課題を悉く解決することが出来るのである。
【００１６】
先ず、本態様における釣用おもりは、船形状という特定形状とされて、その船首部分が先細形状とされている。これにより、釣用おもりが引っ張られる際に海藻や岩などに引っ掛かり難くされており、根掛かりの発生が抑えられる。更に、船首部分が先細形状とされていることから、水中を移動する際に生ずる形状抵抗も小さく抑えられており、軽い力で容易に引き寄せて回収することが可能とされている。
【００１７】
さらに、特に本態様おける釣用おもりは、先端部における底面の稜線が上面に近づけられていることにより、その先端側から見える前面には釣用おもりの底面から上面に向かう傾斜面が形成されている。そして、釣用おもりが海中で引っ張られる際には、かかる釣用おもり前面の傾斜面によって迎え角が形成されることによって、釣用おもりを浮上せしめる方向に働く揚力を得ることが可能とされている。これにより、本態様における釣用おもりは、海中で引っ張られる際には海底から浮き上がることが可能とされており、海底を摺るように引っ張られる従来構造の釣用おもりに比して、根掛かりの発生がより軽減されていると共に、軽い力で回収することが可能とされているのである。
【００１８】
加えて、本態様における釣用おもりにおいては、上面が全体として平坦面とされる一方、底面が断面Ｖ字形とされていることから、上面よりも底面の形状抵抗が小さくなるようにされている。これにより、釣用おもりが海中に投げ入れられて沈降する際には、釣用おもりは形状抵抗の小さい底面を下に向けた状態で海中に沈降するようにされており、海中で回転することのないようにされている。それ故、釣用おもりが水中で回転することに起因して、仕掛けが絡まるようなことも有効に防止することが出来る。
【００１９】
また、上述の如く断面Ｖ字形の底面を採用したことで、沈降する釣用おもりに作用する形状抵抗が小さくされているのであり、これにより、釣用おもりを速やかに海底に沈降せしめることが出来る。このように、本態様に従う構造とされた釣用おもりにおいては、回収の際にはおもりが海底から浮き上がることによって軽い力で回収することを可能としながらも、投げ入れた際には速やかに海底に沈降せしめるというおもり本来の効果が有効に発揮されており、一見相反する効果を有効に両立することが可能とされているのである。また、底面を下に向けた状態で釣用おもりを海底に着底せしめることが出来ることから、引っ張った際に上向きの揚力が生じる所望の向きに安定して着底せしめることも可能とされている。そして、海中を引っ張られる際にも、姿勢を安定することが出来る。即ち、例えば底面が平面形状とされて、両側面にエッジを有する形状では、海中で引っ張られる際の姿勢が安定しないが、本態様においては底面が断面Ｖ字形状とされて、幅方向の中央を延びる１本の稜線状のエッジが形成されていることによって、稜線を下に向けた姿勢を安定して維持することが出来るのである。
【００２０】
加えて、特に海底が砂底等であった場合には、底面のＶ字状の尖端部（稜線）が海底に接することによって海底との接触面積が小さくされている。それ故、ゆっくりと移動させる際に海底を引きずられる場合や、浮き上がる前の移動初期に海底を引きずられる場合等においても、軽い力で釣用おもりを引っ張ることが可能とされている。更に、かかる尖端部（稜線）が方向付けの役割をすることによって、釣用おもりの移動方向を安定せしめることも出来る。また、海底との接触面積を小さく抑えることによって、引っ張られる際に海底を不必要に乱して魚に警戒心を与えてしまうようなことを防ぐことも出来る。
【００２１】
そして、本態様における釣用おもりは、揚力等を得るために別材料や別部品等の特別な部材を必要とすることなく形成することが可能である。それ故、上述の如き多くの優れた効果を発揮し得る釣用おもりを、安価且つ容易に得ることが出来るのである。
【００２２】
（本発明の態様２）
本発明の態様２は、前記態様１に係る釣用おもりにおいて、前記先端部における前記稜線が凹状に湾曲して上面に近づけられていることを、特徴とする。
【００２３】
本態様に従う構造とされた釣用おもりにおいては、先端部における底面が凹状の湾曲面とされる。これにより、釣用おもりが海中を移動する際に形成される迎え角をより大きくすることが出来て、より大きな揚力を得ることが可能となる。これにより、釣用おもりをより容易に海底から浮上せしめることが出来る。
【００２４】
（本発明の態様３）
本発明の態様３は、前記態様１又は２に係る釣用おもりにおいて、前記船首部分に環状部材を設けることによって前記糸付部を形成したことを、特徴とする。
【００２５】
本態様に従う構造とされた釣用おもりにおいては、かかる環状部材に釣糸を通して結びつけることによって、簡易な構成をもって糸付部を形成することが出来る。例えば釣用おもりを鋳物として形成する場合には、環状部材として環状に形成した針金等を鋳込みの際に共に鋳込むことによって、糸付部を容易に形成することが出来る。
【００２６】
なお、本態様における釣用おもりとしては、前記船首部分と反対側の船尾部分にも環状部材を設けて、船首部分と船尾部分の両方に糸付部を形成する等しても良い。このようにすれば、船首部分と船尾部分の両方に釣糸を結び付けることによって、釣用おもりを仕掛けの中間に位置せしめること等も出来る。
【００２７】
（本発明の態様４）
本発明の態様４は、前記態様３に係る釣用おもりにおいて、前記環状部材が、斜め上方に向かって設けられていることを、特徴とする。
【００２８】
本態様に従う構造とされた釣用おもりにおいては、釣用おもりが引っ張られる際には、やや上方に向かって引っ張られることとなる。これにより、迎え角をより安定して確保して、揚力を安定して得ることが出来る。
【００２９】
（本発明の態様５）
本発明の態様５は、前記態様１又は２に係る釣用おもりにおいて、前記釣用おもりの幅方向の中央を全長に亘って貫通する糸通し孔を貫設すると共に、該糸通し孔の一方の開口部を前記先端部に開口せしめることによって前記糸付部を形成したことを、特徴とする。
【００３０】
本態様に従う構造とされた釣用おもりにおいては、別体の部材を何等必要とすること無しに糸付部を形成することが出来る。また、釣糸を釣用おもりに挿し通すことが出来ることから、釣用おもりを仕掛けの中間に位置せしめることも出来る。
【発明の効果】
【００３１】
上述の説明から明らかなように、本発明に従う構造とされた釣用おもりにおいては、全体として船形状とされた特定形状を備えたことによって、先端部が先細状とされて海藻などに引っ掛かり難くされている。更に、釣用おもりが引っ張られた際には、海底から浮上するようにされていることからも、根掛かりの発生をより有効に防止することが出来る。これにより、釣用おもりの紛失を防ぐと共に、海中の環境を悪化せしめることを抑えることも出来る。
【００３２】
また、海中で引っ張られる際の形状抵抗が小さく抑えられていることから、軽い力で容易に回収することが出来る。更に、海中で回転することも抑えられていることによって、仕掛けが絡まるようなことを防止することも可能となる。
【００３３】
そして、本発明における釣用おもりにおいては、それら多くの優れた効果を、何等特別な部材を要することなく、容易且つ安価に得ることが出来るのである。
【発明を実施するための最良の形態】
【００３４】
以下、本発明を更に具体的に明らかにするために、本発明の実施形態について、図面を参照しつつ、詳細に説明する。
【００３５】
先ず、図１乃至図５に、本発明の第一の実施形態としての釣用おもりとしての船形おもり１０を示す。なお、以下の説明において上下方向とは、図１における上下方向をいい、前後方向とは、図１における左右方向をいうものとする。
【００３６】
船形おもり１０は、所定幅寸法をもって延びる胴部１２の一方の端部に、前方に行くにつれてその幅寸法が次第に細くされた先端部としての尖端部１４を有する全体として船形の形状とされている。
【００３７】
より詳細には、船形おもり１０の上面１６の全体は平坦形状とされている。そして、尖端部１４にあたる前後方向の中央部分からやや前方寄りの部位から前方端縁部に至る部位が、その幅寸法が滑らかな曲線をもって前方に行くにつれて細くされている。
【００３８】
一方、底面１８には、船形おもり１０の幅方向の中央部分を全長に渡って延びる稜線２０が形成されることによって下方に突出する断面Ｖ字形状とされている。そして、尖端部１４における稜線２０が、前方に行くにつれて次第に上面１６に近づけられることによって、尖端部１４における底面１８には、稜線２０を挟んだ両側に、前方に行くにつれて上面１６に近づけられた前方湾曲面２２，２２が形成されている。
【００３９】
特に本実施形態においては、尖端部１４における稜線２０は、図１から明らかなように、略円弧形の凹状に湾曲して上面１６に近づけられている。これにより、前方湾曲面２２，２２は凹状に湾曲して上面１６に近づく凹状の湾曲面とされている。このようにして、尖端部１４が、船形おもり１０の船首部分とされている。
【００４０】
一方、船首部分としての尖端部１４と反対側の船尾部分にあたる端部には、平坦な後端面２４が形成されている。特に本実施形態においては、後端面２４は、下方に向かって僅かに前方に傾斜する平坦面とされている。
【００４１】
また、特に本実施形態においては、上面１６と底面１８を繋ぐ側方には、略一定の高さ寸法をもって船形おもり１０の全周に亘って連続して延びる側面２６が形成されている。なお、側面２６の高さ寸法は、底面１８の高さ寸法よりも小さくされている。そして、尖端部１４における側面２６上に位置する稜線２０も凹状とされて、尖端部１４における側面２６も凹状面とされていることによって、凹状の前方湾曲面２２，２２が底面１８および側面２６の両方に亘って形成されている。即ち、底面１８と側面２６の両稜線は、何れも、略円弧形の凹状湾曲線とされていると共に、それら両凹状湾曲面は、上面１６に対して互いに異なる傾斜角度とされており、図１から明らかなように、側面視において底面１８よりも側面２６の方が迎え角が大きくされている。
【００４２】
このようにして、船形おもり１０は全体として船形の形状とされている。なお、船形おもり１０を形成する材料としては、鉛，鉄，石，陶器，コンクリート等従来公知の材料が適宜に採用可能であり、本実施形態においては、鉛を鋳型に流し込んだ鋳物として形成されている。
【００４３】
そして、船首部分にあたる尖端部１４において、上面１６の幅方向中央部の前方端縁部には、環状部材としてのリング状金具２８が設けられて糸付部が構成されている。リング状金具２８は、一条の針金がＵ字状に屈曲せしめられて形成されており、その開口側の端部が船形おもり１０を形成する鋳込みの際に共に鋳込まれることによって、船形おもり１０に一体的に設けられるようになっている。ここにおいて、リング状金具２８は、船形おもり１０の前方端縁部よりもやや前方に突出して位置せしめられると共に、上面１６から前方に向かってやや上方に向かうように傾斜した状態で設けられている。
【００４４】
このような構造とされた船形おもり１０は、例えば図６に示すように、釣針２９を備えた釣糸３０に対して、リング状金具２８が連結金具３１やヨリモドシ３２を介して取り付けられることによって仕掛けに取り付けられる。なお、かかる仕掛けへの取り付けは従来公知の釣用おもりと同様に行なうことが可能であって、例えばリング状金具２８を用いてテンビンに取り付けたり、釣糸３０をリング状金具２８に直接に挿し通して結び付ける等しても良い。
【００４５】
そして、このように仕掛けに取り付けられた船形おもり１０は、陸地や船上から、図７に示すように海中に投げ入れられる。ここにおいて、本実施形態における船形おもり１０の重心：Ｇは、尖端部１４が形成されて先端部の重量が軽くされていることから、やや後方寄りに位置せしめられている。そして、かかるやや後方寄りの重心：Ｇと、尖端部１４に及ぼされる釣糸３０の張力および釣糸３０自体が水から受ける抗力が相俟って、船形おもり１０は尖端部１４をやや上に向けた状態で海中を沈降せしめられる。
【００４６】
さらに、本実施形態における船形おもり１０は、底面１８が断面Ｖ字形状とされていることから、海中を沈降せしめられる際に生じる形状抵抗は、平坦面とされた上面１６よりも底面１８の方が小さくされている。従って、船形おもり１０は、形状抵抗の小さい底面１８を進行方向である下方に向けて沈降せしめられるようになっている。これにより、本実施形態における船形おもり１０は、海中を沈降する際に受ける形状抵抗が小さくされており、速やかに海中を沈降するというおもり本来の効果を有効に発揮することが可能とされている。また、底面１８を下に向けた状態を保って沈降せしめられることから、船形おもり１０が海中で回転することも防止されて、仕掛けの絡まりも防止することが出来る。そして、海中を沈降せしめられた船形おもり１０は、底面１８を下に向けた状態で、海底に着底することとなる。
【００４７】
このようにして海底に着底せしめられた船形おもり１０は、図８に示すように、回収される際には釣糸３０によってリング状金具２８が引っ張られることによって、尖端部１４を前方にして海中を移動せしめられる。ここにおいて、本実施形態における船形おもり１０は、尖端部１４における底面１８に凹状の前方湾曲面２２，２２が形成されていることから、前方湾曲面２２，２２によって迎え角：θが形成される。これにより、海中を移動せしめられる船形おもり１０には、進行方向と反対方向に働く抗力：ＦD に加えて、進行方向と垂直方向に働く揚力：ＦL が及ぼされることとなる。そして、本実施形態における船形おもり１０は、前述のように海中において底面１８が下を向いた姿勢が保たれることから、揚力：ＦL が上向きに生ぜしめられて、船形おもり１０を海底から浮上せしめる向きに生ぜしめられるようにされている。これにより、本実施形態における船形おもり１０は、海中を引っ張られる際には、図９に示すように、海底から浮上して移動せしめられるようになっている。特に本実施形態においては、前方湾曲面２２，２２が凹状面とされていることと、リング状金具２８がやや上向きに設けられていることによって、迎え角：θをより大きく確保することが可能とされており、より大きな揚力を得て容易に浮上せしめられることが可能とされている。
【００４８】
従って、本実施形態における船形おもり１０は、引き寄せる際に、従来構造の釣用おもりのように、海底を摺りながら移動せしめられることが少なくなり、海底の岩や海藻などに引っ掛かる根掛かりの発生を抑えることが可能となるのである。更に、海底を引き摺られることが少ないと共に、尖端部１４が先細形状とされて海中を移動する際の形状抵抗も小さく抑えられていることから、回収の際には軽い力で引き寄せることが可能とされている。
【００４９】
なお、本実施形態における船形おもり１０は、特に岩場において優れた効果を発揮して、岩場における根掛かりを大幅に回避改善出来ることが本願発明者によって確認済みである。また、本実施形態における船形おもり１０は、投げ釣りの他、ボート（船）で仕掛けを引っ張って釣る方法においても有利に用いることが出来る。このような釣りにおいては、竿のしなりによって船形おもり１０が巧く上下する。そして、かかる動きを繰り返すことによって魚を誘き寄せて、釣果を上げることが出来るのである。
【００５０】
また、本実施形態における船形おもり１０は、前述のように底面１８が、幅方向中央を延びる一本の稜線２０を備えた断面Ｖ字形状とされていることによって、海中において底面１８を下に向けた状態を維持することが出来る。これにより、海中で回転することを抑えて、仕掛けの絡まりを防止することが出来る。実際に、本実施形態における船形おもり１０を引っ張ると、水面から飛び上がって、その後、水面を滑走することが本願発明者によって確認されている。このことからも、高い安定性を有することが確認済みである。加えて、海中に投げ入れられて着底する際には、引っ張られる際に上方向への揚力を得ることの出来る底面１８を下に向けた状態で安定して着底することも可能とされている。更に、稜線２０によって海底との接触面積が小さくされていることによって、浮き上がる前の移動初期に海底を引き摺られる場合においても軽い力で釣用おもりを引っ張ることが可能とされているのである。
【００５１】
以上のように、本実施形態における船形おもり１０においては、全体として船形の特定形状を採用したことによって、海底を速やかに沈降するというおもり本来の効果を有効に維持しつつ、回収する際には海底から浮上して海中を移動することによって、軽い力で速やかに回収することが出来る。そして、海底から浮上することによって、海底の岩や海藻などに引っ掛かる根掛かりの発生を抑えることも出来るのである。また、海中において底面１８を下方に向けた姿勢を安定して維持することが出来て、おもりが回転することに起因する仕掛けの絡まりを有効に防止することも可能となるのである。
【００５２】
以上、本発明の一実施形態について詳述してきたが、これはあくまでも例示であって、本発明は、かかる実施形態における具体的な記載によって、何等、限定的に解釈されるものではない。以下に、本発明の異なる態様を幾つか示すが、以下の記載は本発明が以下の態様に限定されることを示すものではないことが理解されるべきである。なお、以下に記載の各態様において、前述の第一の実施形態と同様の部材および部位については、第一の実施形態と同一の符号を付することにより、その詳細な説明を省略する。
【００５３】
例えば、図１０に示す第二の実施形態としての船形おもり３６のように、尖端部１４と反対側の船尾部分に前述のリング状金具２８と同様のリング状金具３８を設けて、船形おもりの両端部に糸付部を設けることなども可能である。このような船形おもり３６においては、船首部分のリング状金具２８および船尾部分のリング状金具３８のそれぞれに釣糸を結び付けたり、釣糸をこれら一対のリング状金具２８，３８に挿し通すなどして、船形おもり３６を仕掛けの中間位置に位置せしめることが出来る。
【００５４】
なお、本発明における糸付部の具体的な構造としては、必ずしもリング状金具２８の如き別部材を設ける必要は無い。例えば、図１１乃至図１３に、第三の実施形態としての船形おもり４０を示す。船形おもり４０には、幅方向中央部分を全長に亘って貫通する糸通し孔４２が貫設されている。糸通し孔４２は、釣糸３０を挿通出来る程度の略一定の円形断面形状をもって船形おもり４０の高さ方向における上端部に形成されている。そして、糸通し孔４２の前方開口部４４が尖端部１４の側面２６における先端部分に開口せしめられる一方、後方開口部４６が後端面２４上に開口せしめられている。これにより、本実施形態における船形おもり４０においては、糸通し孔４２によって糸付部が構成されている。
【００５５】
このような構造とされた船形おもり４０は、例えば図１４に示すように、糸通し孔４２に釣糸３０を挿し通すことによって、中通しおもりとして用いることが出来る。このようにすれば、何等別体の部材を用意すること無く、容易且つ安価に糸付部を形成することが出来る。なお、このような糸通し孔４２の長手方向における傾斜角度を調節することによって、船形おもり４０が引っ張られる際に形成される迎え角：θを調節する等しても良い。
【００５６】
また、更に異なる態様の糸付部を有する第四の実施形態としての船形おもり５０を、図１５に示す。船形おもり５０は、尖端部１４における高さ方向上端部において、前方に突出する突片５２が一体的に形成されている。そして、かかる突片５２に貫通孔５４が貫設されることによって糸付部が構成されており、貫通孔５４を用いて釣糸３０を挿し通したり結び付けることが可能とされている。このような船形おもり５０においても、糸付部を一体的に容易に形成することが出来る。
【００５７】
次に、図１６に、本発明の第五の実施形態としての船形おもり６０を示す。船形おもり６０は、尖端部１４における稜線２０が、前方に行くにつれて凸状に湾曲して上面１６に近づけられている。これにより、船形おもり６０の尖端部１４における前方湾曲面２２，２２は、凸状の湾曲面とされている。このように、尖端部１４における稜線２０は、必ずしも凹状に湾曲せしめられる必要は無い。
【００５８】
また、側面２６についても、必ずしもおもりの全周に亘って連続して形成される必要はない。例えば、図１７および図１８に示す本発明の第六の実施形態としての船形おもり６５のように、尖端部１４における側面２６の高さ寸法を極小さくして、尖端部１４の側面２６を実質的に形成することなく、前方湾曲面２２，２２を上端部にまで広げて形成する等しても良い。
【００５９】
さらに進んで、図１９に示す本発明の第七の実施形態としての船形おもり７０のように、側面２６の高さ寸法を全周に亘って極小さくして、実質的に側面が形成されていない扁平な形状とする等しても良い。本態様における船形おもり７０においては、底面１８のＶ字形状が上面１６の側方端縁部にまで広がるようにされている。
【００６０】
また、図２０および図２１に、本発明の第八の実施形態としての船形おもり８０を示す。船形おもり８０は、船尾部分が後方へゆくにつれて幅寸法および高さ寸法が絞られた形状とされている。より詳細には、船形おもり８０の後方端部の幅寸法は、後方へ行くにつれて滑らかな曲線をもって小さくされていると共に、かかる後方端部における稜線２０が後方へゆくにつれて上面１６に凸状に近づけられることによって、後方端部における底面１８には、後方へ行くつれて上面１６に近づけられた凸状面としての後方湾曲面８２，８２が形成されている。
【００６１】
このようにすれば、船形おもり８０が海中を移動する際に後方に生じる渦抵抗を低減して、より軽い力で船形おもり８０を回収することが出来るとともに、船形おもり８０の海中での姿勢をより安定せしめることも出来る。
【００６２】
なお、本実施形態における船形おもり８０の上面１６は全体に亘って平坦面とされているが、上面１６の後方端部を下方に湾曲せしめることによって、船形おもりの船尾部分を均等に窄めた形状とする等しても良い。また、図２０，２１に示された本実施形態の船形おもり８０において、その後方端部を、幅寸法と高さ寸法の何れか一方だけを、後方に向けて次第に小さくしても良く、その場合にも本実施形態と略同様な効果が発揮される。
【００６３】
また、上述の何れの実施形態においても、尖端部１４における稜線２０が側面視において凹状乃至は凸状の円弧状に湾曲せしめられると共に、稜線２０を挟んだ釣用おもりの前面は凹状乃至は凸状の湾曲面とされていたが、例えば、尖端部１４における稜線２０を側面視において直線状に形成すると共に、かかる前面を平坦な傾斜面として形成する等しても良い。
【００６４】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００６５】
【図１】本発明の第一の実施形態としての釣用おもりを示す側面図である。
【図２】図１に示した釣用おもりの上面図である。
【図３】図１に示した釣用おもりの下面図である。
【図４】図１に示した釣用おもりの正面図である。
【図５】図１に示した釣用おもりの背面図である。
【図６】図１に示した釣用おもりが仕掛けに取り付けられた様子を説明するための説明図である。
【図７】図１に示した釣用おもりが海中を沈降せしめられる様子を説明するための説明図である。
【図８】図１に示した釣用おもりに及ぼされる力を説明するための説明図である。
【図９】図１に示した釣用おもりが海中を移動せしめられる様子を説明するための説明図である。
【図１０】本発明の第二の実施形態としての釣用おもりを示す上面図である。
【図１１】本発明の第三の実施形態としての釣用おもりを示す側面図である。
【図１２】図１１に示した釣用おもりの正面図である。
【図１３】図１１に示した釣用おもりの背面図である。
【図１４】図１１に示した釣用おもりが仕掛けに取り付けられた様子を説明するための説明図である。
【図１５】本発明の第四の実施形態としての釣用おもりを示す上面図である。
【図１６】本発明の第五の実施形態としての釣用おもりを示す側面図である。
【図１７】本発明の第六の実施形態としての釣用おもりを示す側面図である。
【図１８】図１７に示した釣用おもりの底面図である。
【図１９】本発明の第七の実施形態としての釣用おもりを示す側面図である。
【図２０】本発明の第八の実施形態としての釣用おもりを示す上面図である。
【図２１】図２０に示した釣用おもりの側面図である。
【符号の説明】
【００６６】
１０  船形おもり
１２  胴部
１４  尖端部
１６  上面
１８  底面
２０  稜線
２２  前方湾曲面
２４  後端面
２６  側面
２８  リング状金具
２９  釣針
３０  釣糸
【図１】
2007068432.tif 000003
【図２】
2007068432.tif 000004
【図３】
2007068432.tif 000005
【図４】
2007068432.tif 000006
【図５】
2007068432.tif 000007
【図６】
2007068432.tif 000008
【図７】
2007068432.tif 000009
【図８】
2007068432.tif 000010
【図９】
2007068432.tif 000011
【図１０】
2007068432.tif 000012
【図１１】
2007068432.tif 000013
【図１２】
2007068432.tif 000014
【図１３】
2007068432.tif 000015
【図１４】
2007068432.tif 000016
【図１５】
2007068432.tif 000017
【図１６】
2007068432.tif 000018
【図１７】
2007068432.tif 000019
【図１８】
2007068432.tif 000020
【図１９】
2007068432.tif 000021
【図２０】
2007068432.tif 000022
【図２１】
2007068432.tif 000023